【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
支持体と、
該支持体上に重合性基を有するカップリング剤を用いて形成された中間層と、
該中間層に対し、架橋性基を有する化合物を含む組成物を接触させた後、該組成物に画像様にエネルギーを付与して生成したポリマーからなる画像様のポリマー層と、
該画像様のポリマー層中に含有される金属粒子と、
を有することを特徴とする薄層金属膜材料。
【請求項２】
支持体と、
該支持体上に、重合性基を有するカップリング剤と架橋性基を有する化合物とを含む組成物を接触させた後、該組成物に画像様にエネルギーを付与して生成したポリマーからなる画像様のポリマー層と、
該画像様のポリマー層中に含有される金属粒子と、
を有することを特徴とする薄層金属膜材料。
【請求項３】
前記架橋性基を有する化合物を含む組成物が、光開裂型ラジカル重合開始剤を更に含むことを特徴とする請求項１又は請求項２に記載の薄層金属膜材料。
【請求項４】
前記重合性基を有するカップリング剤中の重合性基と、前記架橋性基を有する化合物中の架橋性基が同じ官能基であることを特徴とする請求項１〜請求項３のいずれか１項に記載の薄層金属膜材料。
【請求項５】
前記重合性基を有するカップリング剤が、アクリロイル基、又はメタクリロイル基を有することを特徴とする請求項１〜請求項４のいずれか１項に記載の薄層金属膜材料。
【請求項６】
前記架橋性基を有する化合物が、アクリロイル基、又はメタクリロイル基を有することを特徴とする請求項１〜請求項４のいずれか１項に記載の薄層金属膜材料。
【請求項７】
前記架橋性基を有する化合物が、ビニル基、又はエポキシ基を有することを特徴とする請求項１〜請求項４のいずれか１項に記載の薄層金属膜材料。
【請求項８】
前記金属粒子が３６５ｎｍ以上の波長領域に吸収を有することを特徴とする請求項１〜請求項７のいずれか１項に記載の薄層金属膜材料。
【請求項９】
前記ポリマー層の膜厚が２００ｎｍ以上２０００ｎｍ以下の範囲であることを特徴とする請求項１〜請求項８のいずれか１項に記載の薄層金属膜材料。
【請求項１０】
前記画像様のポリマー層が、前記中間層表面に直接結合してなるポリマーからなることを特徴とする請求項１、請求項３〜請求項９のいずれか１項に記載の薄層金属膜材料。
【請求項１１】
前記画像様のポリマー層が、前記支持体表面に直接結合してなるポリマーからなることを特徴とする請求項２〜請求項９のいずれか１項に記載の薄層金属膜材料。
【請求項１２】
支持体上に、重合性基を有するカップリング剤を用いて中間層を形成する工程と、
該中間層上に架橋性基を有する化合物を含む組成物を接触させた後、該組成物に画像様にエネルギーを付与してポリマーを生成させて画像様のポリマー層を形成する工程と、
該ポリマー層に金属イオンを付与した後、該金属イオンを還元して金属粒子を析出させる工程と、
を有することを特徴とする薄層金属膜材料の製造方法。
【請求項１３】
支持体上に、重合性基を有するカップリング剤を用いて中間層を形成する工程と、
該中間層上に架橋性基を有する化合物、及び金属イオンを含む組成物を接触させた後、該組成物に画像様にエネルギーを付与してポリマーを生成させて画像様のポリマー層を形成する工程と、
該ポリマー層中に含有される金属イオンを還元して金属粒子を析出させる工程と、
を有することを特徴とする薄層金属膜材料の製造方法。
【請求項１４】
支持体上に、重合性基を有するカップリング剤と架橋性基を有する化合物とを含む組成物を接触させた後、該組成物上に画像様にエネルギーを付与してポリマーを生成させて画像様のポリマー層を形成する工程と、
該ポリマー層に金属イオンを付与した後、該金属イオンを還元して金属粒子を析出させる工程と、
を有することを特徴とする薄層金属膜材料の製造方法。
【請求項１５】
支持体上に、重合性基を有するカップリング剤、架橋性基を有する化合物、及び金属イオンを含む組成物を接触させた後、該組成物上に画像様にエネルギーを付与してポリマーを生成させて画像様のポリマー層を形成する工程と、
該ポリマー層中に含有される金属イオンを還元して金属粒子を析出させる工程と、
を有することを特徴とする薄層金属膜材料の製造方法。
【請求項１６】
前記架橋性基を有する化合物を含む組成物が、光開裂型ラジカル重合開始剤を更に含むことを特徴とする請求項１２〜請求項１５のいずれか１項に記載の薄層金属膜材料の製造方法。
【請求項１７】
前記重合性基を有するカップリング剤中の重合性基と、前記架橋性基を有する化合物中の架橋性基が同じ官能基であることを特徴とする請求項１２〜請求項１６のいずれか１項に記載の薄層金属膜材料の製造方法。
【請求項１８】
前記重合性基を有するカップリング剤が、アクリロイル基、又はメタクリロイル基を有することを特徴とする請求項１２〜請求項１７のいずれか１項に記載の薄層金属膜材料の製造方法。
【請求項１９】
前記架橋性基を有する化合物が、アクリロイル基、又はメタクリロイル基を有することを特徴とする請求項１２〜請求項１７のいずれか１項に記載の薄層金属膜材料の製造方法。
【請求項２０】
前記架橋性基を有する化合物が、ビニル基、又はエポキシ基を有することを特徴とする請求項１２〜請求項１７のいずれか１項に記載の薄層金属膜材料の製造方法。
【請求項２１】
前記金属粒子が３６５ｎｍ以上の波長領域に吸収を有することを特徴とする請求項１２〜請求項２０のいずれか１項に記載の薄層金属膜材料の製造方法。
【請求項２２】
前記画像様のポリマー層が、前記中間層表面に直接結合してなるポリマーからなることを特徴とする請求項１２、請求項１３、請求項１６〜請求項２１のいずれか１項に記載の薄層金属膜材料の製造方法。
【請求項２３】
前記画像様のポリマー層が、前記支持体表面に直接結合してなるポリマーからなることを特徴とする請求項１４〜請求項２１のいずれか１項に記載の薄層金属膜材料の製造方法。
【手続補正２】
【補正対象書類名】明細書
【補正対象項目名】０００７
【補正方法】変更
【補正の内容】
【０００７】
前記課題は、以下の薄層金属膜材料、及びその製造方法により解決された。
即ち、本発明の第１の薄層金属膜材料は、支持体と、該支持体上に重合性基を有するカップリング剤を用いて形成された中間層と、該中間層に対し、架橋性基を有する化合物を含む組成物を接触させた後、該組成物に画像様にエネルギーを付与して生成したポリマーからなる画像様のポリマー層と、該画像様のポリマー層中に含有される金属粒子と、を有することを特徴とする。
本発明の第１の薄層金属膜材料は、後述する本発明の第１又は第２の薄層金属膜材料の製造方法により得られることが好ましい。
【手続補正３】
【補正対象書類名】明細書
【補正対象項目名】０００８
【補正方法】変更
【補正の内容】
【０００８】
また、本発明の第２の薄層金属膜材料は、支持体と、該支持体上に、重合性基を有するカップリング剤と架橋性基を有する化合物とを含む組成物を接触させた後、該組成物に画像様にエネルギーを付与して生成したポリマーからなる画像様のポリマー層と、該画像様のポリマー層中に含有される金属粒子と、を有することを特徴とする。
本発明の第２の薄層金属膜材料は、後述する本発明の第３又は第４の薄層金属膜材料の製造方法により得られることが好ましい。
【手続補正４】
【補正対象書類名】明細書
【補正対象項目名】０００９
【補正方法】変更
【補正の内容】
【０００９】
本発明の第１の薄層金属膜材料の製造方法は、支持体上に、重合性基を有するカップリング剤を用いて中間層を形成する工程と、該中間層上に架橋性基を有する化合物を含む組成物を接触させた後、該組成物に画像様にエネルギーを付与してポリマーを生成させて画像様のポリマー層を形成する工程と、該ポリマー層に金属イオンを付与した後、該金属イオンを還元して金属粒子を析出させる工程と、を有することを特徴とする。
【手続補正５】
【補正対象書類名】明細書
【補正対象項目名】００１０
【補正方法】変更
【補正の内容】
【００１０】
また、本発明の第２の薄層金属膜材料の製造方法は、支持体上に、重合性基を有するカップリング剤を用いて中間層を形成する工程と、該中間層上に架橋性基を有する化合物、及び金属イオンを含む組成物を接触させた後、該組成物に画像様にエネルギーを付与してポリマーを生成させて画像様のポリマー層を形成する工程と、該ポリマー層中に含有される金属イオンを還元して金属粒子を析出させる工程と、を有することを特徴とする。
【手続補正６】
【補正対象書類名】明細書
【補正対象項目名】００１１
【補正方法】変更
【補正の内容】
【００１１】
更に、本発明の第３の薄層金属膜材料の製造方法は、支持体上に、重合性基を有するカップリング剤と架橋性基を有する化合物とを含む組成物を接触させた後、該組成物上に画像様にエネルギーを付与してポリマーを生成させて画像様のポリマー層を形成する工程と、該ポリマー層に金属イオンを付与した後、該金属イオンを還元して金属粒子を析出させる工程と、を有することを特徴とする。
【手続補正７】
【補正対象書類名】明細書
【補正対象項目名】００１２
【補正方法】変更
【補正の内容】
【００１２】
加えて、本発明の第４の薄層金属膜材料の製造方法は、支持体上に、重合性基を有するカップリング剤、架橋性基を有する化合物、及び金属イオンを含む組成物を接触させた後、該組成物上に画像様にエネルギーを付与してポリマーを生成させて画像様のポリマー層を形成する工程と、該ポリマー層中に含有される金属イオンを還元して金属粒子を析出させる工程と、を有することを特徴とする。
【手続補正８】
【補正対象書類名】明細書
【補正対象項目名】００１５
【補正方法】変更
【補正の内容】
【００１５】
本発明において、金属粒子が３６５ｎｍ以上の波長領域に吸収を有することが好ましい態様である。
また、ポリマー層の膜厚が２００ｎｍ以上２０００ｎｍ以下の範囲であることが好ましい。
更に、画像様のポリマー層が、中間層表面に直接結合してなるポリマーからなることが好ましい態様の１つである。
加えて、画像様のポリマー層が、支持体表面に直接結合してなるポリマーからなることが好ましい態様の１つである。
【手続補正９】
【補正対象書類名】明細書
【補正対象項目名】００２０
【補正方法】変更
【補正の内容】
【００２０】
以下、本発明について詳細に説明する。
本発明の第１の薄層金属膜材料（以下、「本発明の薄層金属膜材料（１）」として説明する。）は、支持体と、該支持体上に重合性基を有するカップリング剤を用いて形成された中間層と、該中間層に対し、架橋性基を有する化合物を含む組成物を接触させた後、該組成物に画像様にエネルギーを付与して生成したポリマーからなる画像様のポリマー層と、該画像様のポリマー層中に含有される金属粒子と、を有することを特徴とする。
本発明の薄層金属膜材料（１）は、後述する本発明の第１又は第２の薄層金属膜材料の製造方法により得られることが好ましい。
【手続補正１０】
【補正対象書類名】明細書
【補正対象項目名】００２１
【補正方法】変更
【補正の内容】
【００２１】
また、本発明の第２の薄層金属膜材料（以下、「本発明の薄層金属膜材料（２）」として説明する。）は、支持体と、該支持体上に、重合性基を有するカップリング剤と架橋性基を有する化合物とを含む組成物を接触させた後、該組成物に画像様にエネルギーを付与して生成したポリマーからなる画像様のポリマー層と、該画像様のポリマー層中に含有される金属粒子と、を有することを特徴とする。
本発明の第２の薄層金属膜材料は、後述する本発明の第３又は第４の薄層金属膜材料の製造方法により得られることが好ましい。
【手続補正１１】
【補正対象書類名】明細書
【補正対象項目名】００２２
【補正方法】変更
【補正の内容】
【００２２】
本発明の第１の薄層金属膜材料の製造方法（以下、「本発明の薄層金属膜材料の製造方法（１）」として説明する。）は、（ａ）支持体上に、重合性基を有するカップリング剤を用いて中間層を形成する工程（以下、「（ａ）中間層形成工程」と称する。）と、（ｂ１）該中間層上に架橋性基を有する化合物を含む組成物を接触させた後、該組成物に画像様にエネルギーを付与してポリマーを生成させて画像様のポリマー層を形成する工程（以下、「（ｂ１）ポリマー層形成工程」と称する。）と、（ｃ１）該ポリマー層に金属イオンを付与した後、該金属イオンを還元して金属粒子を析出させる工程（以下、「（ｃ１）金属粒子析出工程」と称する。）と、を有することを特徴とする。
【手続補正１２】
【補正対象書類名】明細書
【補正対象項目名】００２３
【補正方法】変更
【補正の内容】
【００２３】
また、本発明の第２の薄層金属膜材料の製造方法（以下、「本発明の薄層金属膜材料の製造方法（２）」として説明する。）は、（ａ）支持体上に、重合性基を有するカップリング剤を用いて中間層を形成する工程（（ａ）中間層形成工程）と、（ｂ２）該中間層上に架橋性基を有する化合物、及び金属イオンを含む組成物を接触させた後、該組成物に画像様にエネルギーを付与してポリマーを生成させて画像様のポリマー層を形成する工程（以下、「（ｂ２）ポリマー層形成工程」と称する。）と、（ｃ２）該ポリマー層中に含有される金属イオンを還元して金属粒子を析出させる工程（以下、「（ｃ２）金属粒子析出工程」と称する。）と、を有することを特徴とする。
【手続補正１３】
【補正対象書類名】明細書
【補正対象項目名】００２４
【補正方法】変更
【補正の内容】
【００２４】
更に、本発明の第３の薄層金属膜材料の製造方法（以下、「本発明の薄層金属膜材料の製造方法（３）」として説明する。）は、（ｂ３）支持体上に、重合性基を有するカップリング剤と架橋性基を有する化合物とを含む組成物を接触させた後、該組成物上に画像様にエネルギーを付与してポリマーを生成させて画像様のポリマー層を形成する工程（以下、「（ｂ３）ポリマー層形成工程」と称する。）と、該ポリマー層に金属イオンを付与した後、該金属イオンを還元して金属粒子を析出させる工程（以下、適宜、「（ｃ３）金属粒子析出工程」と称する。）と、を有することを特徴とする。
【手続補正１４】
【補正対象書類名】明細書
【補正対象項目名】００２５
【補正方法】変更
【補正の内容】
【００２５】
加えて、本発明の第４の薄層金属膜材料の製造方法（以下、「本発明の薄層金属膜材料の製造方法（４）」として説明する。）は、（ｂ４）支持体上に、重合性基を有するカップリング剤、架橋性基を有する化合物、及び金属イオンを含む組成物を接触させた後、該組成物上に画像様にエネルギーを付与してポリマーを生成させて画像様のポリマー層を形成する工程（以下、「（ｂ４）ポリマー層形成工程」と称する。）と、該ポリマー層中に含有される金属イオンを還元して金属粒子を析出させる工程（以下、適宜、「（ｃ４）金属粒子析出工程」と称する。）と、を有することを特徴とする。
【手続補正１５】
【補正対象書類名】明細書
【補正対象項目名】００４０
【補正方法】変更
【補正の内容】
【００４０】
〔（ｂ１）及び（ｂ２）ポリマー層形成工程〕
本発明において、（ｂ１）ポリマー層形成工程の場合には、架橋性基を有する化合物を含む組成物を用い、また、（ｂ２）ポリマー層形成工程の場合には、架橋性基を有する化合物、及び金属イオンを含む組成物を用いて、ポリマー層を形成することを要する。
具体的には、本工程では、中間層上に、上記の組成物のどちらかを接触させた後、該組成物に画像様にエネルギーを付与し、中間層中の重合性基と該架橋性基を有する化合物とを反応させポリマーを生成させて画像様のポリマー層を形成する。この工程により、中間層表面に直接結合してなるポリマーからなるポリマー層を形成することができる。
以下、（ｂ１）工程で用いられる架橋性基を有する化合物を含む組成物、及び、（ｂ２）工程で用いられる、架橋性基を有する化合物及び金属イオンを含む組成物を、総じて、「反応性組成物」と称して、詳細に説明する。